(57)【要約】  無線ビデオシステムにおいて、送信装置からビデオデータを無線送信する際のクロックレートは、受信装置でビデオデータを受信する際のクロックレートに一致しているべきである。しかしながら、2つの装置は別々のクロックを有しているので、各自の周波数は時間経過とともにドリフトにより離れてゆき、ビデオバッファのオーバーランやアンダーランを招いてしまうおそれがある。この問題を解決するため、クロック同期が獲得された時点では短い間隔でクロック同期メッセージが送信され、クロック同期が既に確立された後で単に維持される場合には長い間隔でクロック同期メッセージが送信される。
2015508606.tif 000002
【特許請求の範囲】
【請求項１】
無線により第２の装置とビデオデータを通信する第１の装置であって、
プロセッサと、メモリと、前記プロセッサ及び前記メモリに結合された無線部とを有し、
前記無線部は前記第１及び第２の装置の間でビデオデータを無線通信し、
前記無線部は、前記第２の装置からクロック同期情報を受信し、前記第１の装置の第１のビデオクロックを前記第２の装置の第２のビデオクロックに同期させ、
前記クロック同期情報は、第１のモードの期間内では第１の時間間隔で受信され、かつ第２のモードの期間内では、前記第１の時間間隔より長い第２の時間間隔で受信される、第１の装置。
【請求項２】
前記第２の時間間隔は第１の時間間隔の整数倍である、請求項１に記載の第１の装置。
【請求項３】
前記無線部は、前記第１の装置が前記第１のモード又は前記第２のモードの何れで動作しているかを示すパケットを前記第２の装置から受信する、請求項１に記載の第１の装置。
【請求項４】
前記第１のモードはクロック捕捉モードであり、前記第２のモードはクロックトラッキングモードである、請求項１に記載の第１の装置。
【請求項５】
第１の装置のビデオクロックを第２の装置のビデオクロックに同期させる方法であって、
前記第１及び第２の装置の間でビデオデータを無線通信するステップと、
前記第２の装置からクロック同期情報を受信し、前記第１の装置の前記ビデオクロックを前記第２の装置の前記ビデオクロックに同期させるステップと
を有し、前記クロック同期情報の受信は、第１のモードでは第１の時間間隔で行われ、第２のモードでは、前記第１の時間間隔より長い第２の時間間隔で行われる、方法。
【請求項６】
前記第２の時間間隔は第１の時間間隔の整数倍である、請求項５に記載の方法。
【請求項７】
前記第１の装置が前記第１のモード又は前記第２のモードの何れで動作しているかを示すパケットを前記第２の装置から受信するステップを有する、請求項５に記載の方法。
【請求項８】
前記第１のモードはクロック捕捉モードであり、前記第２のモードはクロックトラッキングモードである、請求項５に記載の方法。
【請求項９】
１つ以上のプロセッサに方法を実行させるプログラム命令を記憶した少なくとも１つの有形の記憶媒体であって、前記方法は、
第１の装置及び第２の装置の間でビデオデータを無線通信するステップと、
前記第２の装置からクロック同期情報を受信し、前記第１の装置のビデオクロックを前記第２の装置のビデオクロックに同期させるステップと
を有し、前記クロック同期情報の受信は、第１のモードでは第１の時間間隔で行われ、第２のモードでは、前記第１の時間間隔より長い第２の時間間隔で行われる、記憶媒体。
【請求項１０】
前記第２の時間間隔は第１の時間間隔の整数倍である、請求項９に記載の記憶媒体。
【請求項１１】
前記方法が、前記第１の装置が前記第１のモード又は前記第２のモードの何れで動作しているかを示すパケットを前記第２の装置から受信するステップを有する、請求項９に記載の記憶媒体。
【請求項１２】
前記第１のモードはクロック捕捉モードであり、前記第２のモードはクロックトラッキングモードである、請求項９に記載の記憶媒体。
【請求項１３】
無線により第２の装置とビデオデータを通信する第１の装置であって、
プロセッサと、メモリと、前記プロセッサ及び前記メモリに結合された無線部とを有し、
前記無線部は前記第２の装置とビデオデータを無線通信し、
前記無線部は、前記第２の装置の第２のクロックを前記第１の装置の第１のクロックに同期させるために、前記第２の装置にクロック同期情報を送信し、
前記クロック同期情報は、第１のモードの期間内では第１の時間間隔で送信され、かつ第２のモードの期間内では、前記第１の時間間隔より長い第２の時間間隔で送信される、第１の装置。
【請求項１４】
前記第２の時間間隔は第１の時間間隔の整数倍である、請求項１３に記載の第１の装置。
【請求項１５】
前記無線部は、前記第２の装置が前記第１のモード又は前記第２のモードの何れで動作しているかを示すパケットを前記第２の装置に送信する、請求項１３に記載の第１の装置。
【請求項１６】
前記第１のモードはクロック捕捉モードであり、前記第２のモードはクロックトラッキングモードである、請求項１３に記載の第１の装置。
【請求項１７】
第１の装置のビデオクロックを第２の装置のビデオクロックに同期させる方法であって、
前記第１及び第２の装置の間で無線によりビデオデータを通信するステップと、
前記第２の装置の第２のクロックを前記第１の装置の第１のクロックに同期させるために、前記第２の装置にクロック同期情報を送信するステップと
を有し、前記クロック同期情報の送信は、第１のモードでは第１の時間間隔で行われ、かつ第２のモードでは、前記第１の時間間隔より長い第２の時間間隔で行われる、方法。
【請求項１８】
前記第２の時間間隔は第１の時間間隔の整数倍である、請求項１７に記載の方法。
【請求項１９】
前記第２の装置が前記第１のモード又は前記第２のモードの何れで動作しているかを示すパケットを前記第２の装置に送信するステップを有する請求項１７に記載の方法。
【請求項２０】
前記第１のモードはクロック捕捉モードであり、前記第２のモードはクロックトラッキングモードである、請求項１７に記載の方法。
【請求項２１】
１つ以上のプロセッサに方法を実行させるプログラム命令を記憶した少なくとも１つの有形の記憶媒体であって、前記方法は、
第１及び第２の装置の間で無線によりビデオデータを通信するステップと、
前記第２の装置の第２のクロックを前記第１の装置の第１のクロックに同期させるために、前記第２の装置にクロック同期情報を送信するステップと
を有し、前記クロック同期情報の送信は、第１のモードでは第１の時間間隔で行われ、かつ第２のモードでは、前記第１の時間間隔より長い第２の時間間隔で行われる、記憶媒体。
【請求項２２】
前記第２の時間間隔は第１の時間間隔の整数倍である、請求項２１に記載の記憶媒体。
【請求項２３】
前記方法が、前記第２の装置が前記第１のモード又は前記第２のモードの何れで動作しているかを示すパケットを前記第２の装置に送信するステップを有する請求項２１に記載の記憶媒体。
【請求項２４】
前記第１のモードはクロック捕捉モードであり、前記第２のモードはクロックトラッキングモードである、請求項２１に記載の記憶媒体。
【発明の詳細な説明】
【技術分野】
【０００１】
開示される実施の形態は同期方法等に関連する。
【背景技術】
【０００２】
近年、携帯用パーソナルコンピュータ装置(例えば、ノートブックコンピュータ、タブレットコンピュータ、又はスマートフォン等)が、ビデオ信号をビデオディスプレイ装置(例えば、テレビジョンモニタ等)に無線送信できるようにする製品が製造されている。無線チャネルは多くの装置により頻繁に共有されるので、通常、2つの装置の間の無線通信は連続的ではなく不連続的である。このため、ビデオデータを受信する装置は、受信したデータを保存するためにビデオバッファを利用し、ディスプレイに必要なレートでバッファから或るクロックレートでデータを取得する。2つの装置は離れているので、タイミングを決めるために各自自身の内部クロックを利用する。ビデオは、何れの装置においても同じ所定のレートのクロックで使用されるように仮定されているが、双方又は一方の装置に僅かでもクロックドリフトが存在すると、データがバッファから取り出されるべきレートより速く又は遅くビデオデータが取り出される状況を引き起こし、最終的にビデオバッファをオーバーフロー又はアンダーフローさせてしまうことが懸念される。これは表示されるビデオの不連続性として現れる。再同期データを周期的に送信する技術は、2つのクロックの同期を維持できるようにするが、速やかに同期を獲得できる程度に充分頻繁に再同期データを送信する現在の処理は、充分長い期間にわたってコンピュータ装置を節電モードに滞在させることはできず、バッテリ寿命を短くしてしまう。
【先行技術文献】
【特許文献】
【０００３】
【特許文献１】米国特許出願公開第2011-0064012号明細書
【発明の概要】
【発明が解決しようとする課題】
【０００４】
一観点の実施形態による課題は、バッテリ寿命を著しく短くはせずに、同期を確保できるようにすることである。
【課題を解決するための手段】
【０００５】
一観点の実施形態による装置は、
無線により第２の装置とビデオデータを通信する第１の装置であって、
プロセッサと、メモリと、前記プロセッサ及び前記メモリに結合された無線部とを有し、
前記無線部は前記第１及び第２の装置の間でビデオデータを無線通信し、
前記無線部は、前記第２の装置からクロック同期情報を受信し、前記第１の装置の第１のビデオクロックを前記第２の装置の第２のビデオクロックに同期させ、
前記クロック同期情報は、第１のモードの期間内では第１の時間間隔で受信され、かつ第２のモードの期間内では、前記第１の時間間隔より長い第２の時間間隔で受信される、第１の装置である。
【図面の簡単な説明】
【０００６】
【図１】本発明の実施形態による無線ビデオネットワークを示す図。
【図２】本発明の実施形態による無線通信装置を示す図。
【図３】本発明の実施形態による同期メッセージに関するタイミング図。
【図４】本発明の実施形態によるクロック動作モード通知パケットのフォーマットを示す図。
【発明を実施するための形態】
【０００７】
本発明の様々な実施形態を説明するために使用される添付図面及び詳細な説明を参照することにより、本発明の実施形態は明確かつ充分に理解されるであろう。
【０００８】
以下の説明では様々な具体的な詳細な事項が説明される。しかしながら、本発明の実施形態はそのような具体的な詳細事項によらず実施されてもよいことが理解される。また、従来の回路、構造及び技術は本説明の理解を妨げないように詳細には説明されていない。
【０００９】
「一実施形態」、「実施の形態」、「実施例」、「様々な形態」等の言葉は、そのように言及された本発明の実施形態が、特定の特性、構造又は特徴を含んでもよいが、必ずしも全ての実施形態がその特定の特性、構造又は特徴を含むとは限らないことが意図されている。また、ある実施形態は、別の実施形態に関して説明された特徴の全部又は一部を含んでもよいし、全く含んでいなくてもよい。
【００１０】
明細書、特許請求の範囲及び図面に関し、「結合」及び「接続」という用語並びにそれらの派生語が使用されているかもしれない。これらの用語は互いに完全に同義語としては意図されていない点に留意を要する。むしろ、特定の実施形態において、「接続」は2つ以上の要素が直接的に物理的又は電気的に互いに接触している場合に使用される。「結合」は2つ以上の要素が互いに協働又は相互作用してはいるが、それらの間に介在する物理的又は電気的な要素は存在してもしなくてもよい場合に使用される。
【００１１】
特許請求の範囲で使用される場合に、別段の断りがない限り、「第1」、「第2」、「第3」等の序数の使用は、共通する性質を有する要素を示し、単に、同様な要素のうちの異なるものが言及されていることを示しているに過ぎず、そのように言及される要素が時間的或いは空間的に所定の順序で並んでいる必要があること、又は何らかの他の方法でランキングされている必要があることは意図されていない。
【００１２】
例えば「処理」、「演算」、「計算」、「決定」、「設定」、「分析」、「検査」等のような用語を用いる説明は、コンピュータ、コンピュータプラットフォーム、コンピュータシステム又はその他の電子コンピュータ装置の動作及び/又は処理を示し、その動作及び/又は処理は、コンピュータのレジスタ及び/又はメモリ内で物理量(例えば、電子)として表現されるデータを、コンピュータのレジスタ及び/又はメモリ又は他の情報格納媒体(動作及び/又は処理を実行するための命令を保存する媒体)の中の物理量として同様に表現される他のデータに処理及び/又は変換する。
【００１３】
本発明の様々な実施形態はソフトウェア及び/又はファームウェアにより全体的又は部分的に実現されてもよい。ソフトウェア及び/又はファームウェアは、コンピュータにより読み取ることが可能な少なくとも1つの有形の媒体(コンピュータ可読媒体)に含まれる命令形式を使用してもよく、本願で説明される処理を実行するために1つ以上のプロセッサにより読み取られて実行される。命令は適切な如何なる形式であってもよく、限定ではないが、例えば、ソースコード、コンパイルされたコード、解釈されたコード、実行可能コード、スタティックコード、ダイナミックコード等の形式であってもよい。そのようなコンピュータ可読媒体は、1つ以上のコンピュータにより読み取ることが可能な形式で情報を保存する任意の有形媒体を含んでもよく、限定ではないが、例えば、リードオンリメモリ(ROM)、ランダムアクセスメモリ(RAM)、磁気ディスク記憶媒体、光記憶媒体、フラッシュメモリ等であってもよい。
【００１４】
「無線」という用語は、変調された電磁波を利用することにより固体ではない媒体を通じてデータを通信する回路、装置、システム、方法、技術、通信チャネル等を示すために使用される。無線装置は少なくとも1つのアンテナ、少なくとも1つの無線機、少なくとも1つのメモリ及び少なくとも1つのプロセッサを有し、無線機はデータを表現する信号をアンテナを介して送信しかつデータを表現する信号をアンテナを介して受信し、プロセッサは送信されるべきデータ及び受信されたデータを処理する。プロセッサは送信も受信もされない他のデータを処理してもよい。
【００１５】
本願で使用されているように、「通信」という用語は送信及び/又は受信を含むように意図されている。これは、或る装置により送信され他の装置により受信されるデータのやりとりを特許請求の範囲に記述する際に特に有用であるが、技術的範囲に属する条件としては、それらの装置の何れか一方の機能しか必要とされない。同様に、特許請求の範囲にそれらの装置の何れか一方の機能しか記載されていない場合でも、2つの装置の間でデータをやり取りする複数のステップが「通信」として言及されてもよい(そのようなやり取りにおいて2つの装置の各々が送信及び受信の双方を行ってよい)。
【００１６】
本願において使用されているように、「ソース装置又は送信装置(source  device)」という用語は、ビデオデータを無線送信する装置を示す(例えば、ノートブックコンピュータ、タブレットコンピュータ、スマートフォン等)。
【００１７】
本願において使用されているように、「シンク装置又は受信装置(sink  device)」という用語は、ソース装置からビデオデータを無線により受信し、受信したビデオデータをディスプレイに出力し、ビデオデータを受信した後それを出力するまでビデオデータを一時的に保存するビデオバッファを含む装置を示す。一実施形態において、シンク装置はビデオデータのフォーマットを表示に一層相応しい形式に変換してもよい。
【００１８】
様々な実施形態において、ソース装置及びシンク装置は、それらが反復的に各自のクロックを同期させることができるような方法でクロック同期情報を互いに通信してもよい。この場合において「クロック捕捉」又は「クロック獲得」等の用語は、クロック同期情報を利用して、2つのクロックを最初に同期させることを示す一方、「クロック追跡」又は「クロックトラッキング」等の用語は、初期のクロック同期が既に得られた後に、同期情報を利用して、同期した2つのクロックを維持することを示す。更に、この技術は「クロックトラッキング」の期間においては「クロック捕捉」の期間よりも少ない頻度で同期情報が通信されることを許容する。
【００１９】
このように差異を設けることが妥当である理由は、クロック捕捉の処理が開始される以前には2つのクロックはかなり離れたクロック速度になっているかもしれないし、望まれない遅延を避けて視覚的に申し分のないビデオ表示を開始するために、初期同期は速やかに実行されるべきだからである。一方、初期クロック同期が獲得された後、2つのクロックは非常に近接したクロック速度になっているはずであり、クロック速度の何らかのドリフトはほとんど生じないか生じたとしても非常に緩やかに生じる。同期クロック情報が少ない頻度で送信される場合、クロック同期が更新されるまで長期間の間、ソース装置はパワーセービングモード(節電モード、省電力モード)に入ることが可能であり、その間電力をほとんど使用しなくてよい。
【００２０】
図1は本発明の実施形態による無線ビデオネットワークを示す。ビデオネットワーク100において、ソース装置110はビデオディスプレイ120で表示を行うためにビデオデータをシンク装置130に無線送信する。ビデオデータ自体は一方向で通信されてもよいが(すなわち、ソース装置からシンク装置へ)、ビデオに関する他のデータが反対方向又は双方向に送信されてもよい。
【００２１】
ノートブックコンピュータがソース装置110として示されているが、ソース装置は適切な如何なる携帯コンピュータ装置であってもよい(例えば、タブレットやスマートフォン等であってもよいが、これらに限定されない)。ビデオディスプレイ120がビデオモニタとして示されているが、適切な如何なる表示装置であってもよい(例えば、テレビジョン、タブレットのディスプレイ、スマートフォンのディスプレイ等であってもよいが、これらに限定されない)。シンク装置130及びビデオ装置120がケーブルで互いに接続されるように図示されているが、一実施形態では、それらは互いに無線で通信してもよい。シンク装置130がディスプレイ120とは別個の装置であるように図示されているが、一実施形態では、シンク装置はディスプレイ装置に組み込まれていてもよい又は内蔵されていてもよい。
【００２２】
図2は本発明の実施形態による無線通信装置を示す。各々の装置110、130はそのような無線通信装置であってもよく、この例では一般的な無線通信装置210として示されている。装置210は、1つ以上のアンテナ211と、1つ以上の無線部212と、1つ以上のプロセッサ213と、1つ以上のメモリ214と、1つ以上のインタフェース215とを備えているように図示されている。これらの要素は任意の有用な方法で結合されてよい。ビデオバッファ216も示されている。このビデオバッファはシンク装置130の中にあり、先入れ先出し方式(FIFO方式)のバッファであってもよく、ソース装置110から到来するビデオデータを受信し、出力するビデオデータをディスプレイ120に提供する。調整可能な周波数を有するクロック218は、バッファに対して出し入れするデータのクロックに使用されてもよい。ビデオバッファ216はメモリ214から分離されていてもよく(図示せず)、或いはメモリ214の特定の一部分として実施されてもよい。一実施形態において、ソース装置110はビデオバッファを有し、ビデオバッファはビデオデータがシンク装置130に送信される前にそれを一時的に保持するために使用される。図示してはいないが、バッファ216は、ディスプレイ装置に出力ビデオデータを或るクロックで出力するシンク装置内のビデオインタフェースに結合されていてもよいし、或いは無線送信の際に出力ビデオデータを或るクロックで出力するソース装置内の無線部に結合されていてもよい。
【００２３】
上述したように、ソース装置から送信されるビデオデータの全体的なレートは、ディスプレイ装置で使用されるビデオデータの全体的なレートに等しくなっているべきであるので、データは、そのデータがバッファからクロック出力されるのと同じレートでバッファにクロック入力されるべきである。ディジタル論理部のクロックは典型的には位相ロックループ(PLL)回路で生成され、PLL回路は様々な周波数に同調することが可能であるが、周波数ドリフトの影響を受ける。ソース装置及びシンク装置は別々のクロックを有し、それれらは独立にドリフトするかもしれないので、それらのクロックは周期的に互いに同期させられるべきである。
【００２４】
図3は本発明の実施形態による同期メッセージに関するタイミング図を示す。水平の時間軸に沿って存在する四角形のブロックの各々は、クロック同期情報を含む1つ以上の無線パケットを表現する。各々のブロックは1回以上の送信を表現していてもよいし、或いは1回以上の送信及び/又は受信のやり取りの流れを表現してていもよい。同期情報以外の情報を含む他の通信も実際には存在するが、図示の簡明化の観点から描かれてはいない。好ましい実施形態において、シンク装置のクロックが基準又はリファレンスとして使用され、同期情報はシンク装置からソース装置へ送信されてもよい。別の実施形態において、ソース装置のクロックが基準として使用され、同期情報はソース装置からシンク装置へ送信されてもよい。
【００２５】
図3に示されているように、同期情報の間隔は可変である。特に、クロック捕捉モードの間における「間隔」は狭いが、クロックトラッキングモードの間における「間隔」は、より長くなっている。「間隔」は、同期情報同士の間のインターバル、同期情報の周期、同期情報の更新間隔等と言及されてもよい。これは、捕捉及び追跡(トラッキング)という2つの異なる目的に対するトレードオフの一例を示す。ビデオリンクが最初に設定される場合(すなわち、2つのクロックが周波数の観点から大きく隔たっているかもしれない場合)、同期を速やかに捕捉することが望ましい。同期メッセージの各々は、2つのクロック周波数同士の間の差分を徐々に減らすので、周波数を一致させるためにそのようなメッセージがいくつも必要になる可能性がある。しかしながらいったん同期が達成されると、クロック周波数は全くドリフトしないか又はしたとしても非常に緩やかにしかドリフトしないので、同期情報はビデオシステムの許容範囲内でかなり少ない頻度で送信される。
【００２６】
同期メッセージ同士の間の時間間隔は、様々な基準に基づいて選択されてよく、例えば、ドリフトパラメータや、平均的なユーザに受け入れられるもの等に基づいて選択されてもよいが、これらに限定されない。一実施形態において、同期メッセージは、クロック捕捉モードにおいてはビデオスライス毎に1度送信され、クロックトラッキングモードにおいては複数のビデオスライスにつき1度送信されてもよい。ビデオスライスは所定数の画素(ピクセル)を含む。例えば、ビデオスライスは整数個のマクロブロックを含み、マクロブロックは16×16ブロック分の画素である。これらの値は単なる一例に過ぎず、実施の形態がビデオスライスの具体的なサイズに限定されるように解釈すべきではない。
【００２７】
実際の同期情報を運ぶ際には様々なフォーマットが使用されてよい。一実施形態において、それは、送信されるパケットのプログラムクロックリファレンス(Program  Clock  Reference：PCR)に含まれているタイムスタンプカウンタ値の形式であってもよい。このタイムスタンプ値を受信する装置は、その値と装置自身のカウンタ値とを比較し、2つの値の差分が示す方向及び値に依存して、自身のクロック速度を上昇又は下降させるように調整する。
【００２８】
図4は、本発明の実施形態によるクロック動作モード通知パケットのフォーマットを示す図である。フォーマット全体が他のタイプのパケットに使用されてよいが、「タイプ」及び「サブタイプ」のフィールドが、新たなタイプのパケットを示すために使用されてよい。例えば、パケットの「タイプ」値が2でありパケットの「サブタイプ」値がC(16進表記)であることは、特定のタイプのパケットであることを示すために使用されてよいが、これらの具体的な値は本発明の様々な実施形態に関する限定として解釈されるべきではない。「データ」のフィールドは、ビデオデータがパケットに含まれる場合に使用される。あるいは、「データ」のフィールドは、そのようなビデオデータが含まれていない場合には省略されてもよい。「クロックモード」のフィールドは、シンク装置のクロックがクロック捕捉モードで動作しているか又はクロックトラッキングモードで動作しているかを示すために使用される(例えば、0の値が「捕捉」を示し、1の値が「トラッキング」を示してもよいし、或いは逆でもよい)。一実施形態において、「必要なタイムスタンプ間隔」のフィールドは、クロックトラッキングモードにおいてクロック同期メッセージ間の間隔がどのようであるかを示すために使用される。一実施形態において、「クロックモード」のフィールド及び「必要なタイムスタンプ間隔」のフィールドは、同様な構成の他のタイプのパケットにおける「ペイロード」というラベルのフィールドに含まれてもよい。他のタイプのパケットでは、「ペイロード」のフィールドは可変であってもよい。「データ」のフィールドの選択的な性質は、パケットの全体的な長さを可変にし、従って「長さ」のフィールドはパケットの長さを決定するために使用されてよい。
【００２９】
図4に示すパケットはクロックモード遷移を示すために使用されてよい。例えば、このパケットは、クロック同期が捕捉され、装置がクロックトラッキングモードに切り替わるべきであることを示すために送信されてもよい。初期のクロック捕捉モードが始まる予定であることを示すために使用されてもよい。他の理由で周期的に送信されてもよく、例えば、双方の装置が同じクロック同期モードにあることを保証するために送信されてもよい。
【００３０】
ビデオデータ及び同期情報の双方が所定の間隔でバーストとして送信されてもよいので、場合によっては、ソース装置はバースト同士の間で節電モードに移ることが可能である。クロック捕捉モードの間において間隔(インターバル)は相対的に短くてよい理由は、同期情報が頻繁に送信されるからである。しかしながら、クロックトラッキングモードにおいては、間隔は長くてもよく、ソース装置はそのような長い期間の間節電モードに滞在することが可能であり、これにより全体的なバッテリ使用量を減らすことができる。
【００３１】
上記の説明は例示を意図しており、限定を意図してはいない。当業者は変形例を認めるであろう。変形例は本発明の様々な実施形態に包含されるように意図されており、本発明は特許請求の範囲及び均等物によってのみ制限される。
【図１】
2015508606.tif 000003
【図２】
2015508606.tif 000004
【図３】
2015508606.tif 000005
【図４】
2015508606.tif 000006
【手続補正書】
【提出日】平成26年7月8日(2014.7.8)
【手続補正１】
【補正対象書類名】特許請求の範囲
【補正対象項目名】全文
【補正方法】変更
【補正の内容】
【特許請求の範囲】
【請求項１】
第１の装置のビデオクロックを第２の装置のビデオクロックに同期させる方法であって、
前記第１及び第２の装置の間でビデオデータを無線通信するステップと、
前記第２の装置からクロック同期情報を受信し、前記第１の装置の前記ビデオクロックを前記第２の装置の前記ビデオクロックに同期させるステップと
を有し、前記クロック同期情報の受信は、第１のモードでは第１の時間間隔で行われ、第２のモードでは、前記第１の時間間隔より長い第２の時間間隔で行われる、方法。
【請求項２】
前記第２の時間間隔は第１の時間間隔の整数倍である、請求項１に記載の方法。
【請求項３】
前記第１の装置が前記第１のモード又は前記第２のモードの何れで動作しているかを示すパケットを前記第２の装置から受信するステップを有する、請求項１に記載の方法。
【請求項４】
前記第１のモードはクロック捕捉モードであり、前記第２のモードはクロックトラッキングモードである、請求項１に記載の方法。
【請求項５】
無線により第２の装置とビデオデータを通信する第１の装置であって、プロセッサと、メモリと、前記プロセッサ及び前記メモリに結合された無線部とを有し、請求項１〜４のうち何れか１項に記載の方法を実行するように形成された第１の装置。
【請求項６】
請求項１〜４のうち何れか１項に記載の方法を１つ以上のプロセッサに実行させるプログラム命令を記憶した少なくとも１つの有形の記憶媒体。
【請求項７】
第１の装置のビデオクロックを第２の装置のビデオクロックに同期させる方法であって、
前記第１及び第２の装置の間でビデオデータを無線通信するステップと、
前記第２の装置の第２のビデオクロックを前記第１の装置の第１のビデオクロックに同期させるために、前記第２の装置にクロック同期情報を送信するステップと
を有し、前記クロック同期情報の送信は、第１のモードでは第１の時間間隔で行われ、第２のモードでは、前記第１の時間間隔より長い第２の時間間隔で行われる、方法。
【請求項８】
前記第２の時間間隔は第１の時間間隔の整数倍である、請求項７に記載の方法。
【請求項９】
前記第２の装置が前記第１のモード又は前記第２のモードの何れで動作しているかを示すパケットを前記第２の装置に送信するステップを有する、請求項７に記載の方法。
【請求項１０】
前記第１のモードはクロック捕捉モードであり、前記第２のモードはクロックトラッキングモードである、請求項７に記載の方法。
【請求項１１】
無線により第２の装置とビデオデータを通信する第１の装置であって、プロセッサと、メモリと、前記プロセッサ及び前記メモリに結合された無線部とを有し、請求項７〜１０のうち何れか１項に記載の方法を実行するように形成された第１の装置。
【請求項１２】
請求項７〜１０のうち何れか１項に記載の方法を１つ以上のプロセッサに実行させるプログラム命令を記憶した少なくとも１つの有形の記憶媒体。
【国際調査報告】
2015508606.tif 000007
2015508606.tif 000008